(57)【特許請求の範囲】
【請求項１】
回転駆動源を内蔵したハンドピースと、該ハンドピースに着脱自在に装着される偏心荷重を有する被回転軸体と、該被回転軸体を覆ってかつ前記ハンドピースに固定されるカバー部材とから成り、前記偏心荷重を有する被回転軸体を回転させ、その偏心振動を前記ハンドピースを介して前記カバー部材に伝達し、該カバー部材を印象材の練りあげ物で満たされたカップに押し当てて該印象材から気泡を放出させるようにしたことを特徴とする歯科用脱泡ハンドピース。
【請求項２】
回転駆動源を有するハンドピースに着脱自在に装着され、印象材の練りあげ物で満たされたカップに接触させて、該印象材内の気泡を放出させる脱泡用器具であって、該脱泡用器具は、前記ハンドピースに着脱自在に装着される偏心荷重付被回転軸体と、該被回転軸体を覆って前記ハンドピースに固定されるカバー部材とから成ることを特徴とする脱泡用器具。
【発明の詳細な説明】
【０００１】
【発明の属する技術分野】
本発明は、歯科用脱泡ハンドピース及び歯科用ハンドピースに装着して使用される脱泡用器具に関する。
【０００２】
【従来の技術】
歯科治療においては、患者の歯列、支台、その隣接する周囲組織等、患者の口腔内の陰型を採るために、印象材を用いる。この印象材は、陰型を採る前に、容器内で練りあげて使用するが、練りあげた印象材中に気泡が混入していると、正確な印象を得ることができない。そのため、従来、練りあげた印象材が入っている容器をバイブレータ等で振動させ、該練りあげた印象材から気泡を除去（脱泡）することが行われている。
【０００３】
【発明が解決しようとする課題】
しかし、従来、バイブレータは、例えば、４ｋｇを超える程重く、また、大容量の電源を必要とするため、訪問診療（往診）には、不向きであった。
【０００４】
本発明は、上述のごとき実情に鑑みてなされたもので、往診歯科治療において、往診先で印象をとる際に、練りあげた印象材中に混入されている気泡を除去するのに使用して好適な軽量かつ小電力の、脱泡用ハンドピース或いは従来の回転駆動源を内蔵した歯科用ハンドピースに装着して使用して好適な脱泡用器具を提供することを目的としてなされたものである。
【０００５】
【課題を解決するための手段】
請求項１の発明は、回転駆動源を内蔵したハンドピースと、該ハンドピースに着脱自在に装着される偏心荷重を有する被回転軸体と、該被回転軸体を覆ってかつ前記ハンドピースに固定されるカバー部材とから成り、前記偏心荷重を有する被回転軸体を回転させ、その偏心振動を前記ハンドピースを介して前記カバー部材に伝達し、該カバー部材を印象材の練りあげ物で満たされたカップに押し当てて前記印象材から気泡を放出させるようにした歯科用脱泡ハンドピースを特徴としたものである。
【０００６】
請求項２の発明は、回転駆動源を有するハンドピースに着脱自在に装着され、印象材の練りあげ物で満たされたカップに接触させて、該印象材内の気泡を放出させるのに使用する脱泡用器具であって、該脱泡用器具は、前記ハンドピースに着脱自在に装着される偏心荷重付被回転軸体と、該被回転軸体を覆って前記ハンドピースに固定されるカバー部材とから成ることを特徴としたものである。
【０００８】
【発明の実施の形態】
（請求項１の発明）
図１は、本発明による脱泡ハンドピースの一実施例を説明するための要部分解構成図で、図中、１は商用電源駆動或いは内蔵電池駆動の電動機（モータ）を内蔵するハンドピース部、２は該ハンドピース部１内のモータによって駆動される回転軸にチャック機構によって着脱自在に装着される被駆動回転軸体で、該被駆動回転軸体２には偏心荷重２ａが一体的に取り付けられており、前記ハンドピース部１に装着されて回転された時に、該被駆動回転軸体２が偏心回転し、その偏心振動がハンドピース部１に伝達される。３は前記被駆動回転軸体２を覆って前記ハンドピース部１に固定されるカバー部材で、前述のようにして、被駆動回転軸体２が偏心駆動されると、その振動がハンドピース部１を介して該カバー部材３に伝達される。
【０００９】
図２は、上述のごとき本発明による脱泡ハンドピースの使用状態を説明するための図で、図中、１０は図１に示した構成部材よりなる本発明による脱泡ハンドピース、２０は印象材、３０はラバーカップで、該ラバーカップ３０内は印象材２０を練りあげた物で満たされているものとする。ここで、ハンドピース部１内のモータを回転すると、偏心荷重２ａを有する被回転軸体２が回転することにより、ハンドピース部１に振動が生じ、該ハンドピース部１に固定されているカバー部材３が振動する。カバー部材３を振動した状態で、該カバー部材３の側部を印象材を練りあげた物で満たされているラバーカップ３０に押し当てると、カップ３０内の印象材２０が振動し、該印象材２０より気泡が放出されて、脱泡する。振動の強さは、モータのスピードにより決まるので、モータの回転速度を調整することにより、印象材の多量少量に関わらず、スピーディーに脱泡ができる。
【００１０】
（請求項２の発明）
通常、訪問診療では、なんらかのモータを回転させることのできる機器、例えば、マイクロエンジンハンドピースを持っていくので、この一般に使用している既製のハンドピースに、通常装着して使用する切削バーに代って、上述のごとき偏心荷重付の被回転軸体２を装着し、その上を前述のカバー部材３で覆うようにすると、特別（専用）のハンドピースを準備しなくても、既製のハンドピースを用いて脱泡用ハンドピースを構成することができ、往診時に運搬しなければならない荷物をより小さく、かつ、軽量にすることができ、運搬人の疲労をより軽減することができる。
【００１１】
以上には、モータ等の回転駆動源を内蔵するハンドピースに偏心荷重付の被回転軸体を装着し、その偏心荷重の回転によって生じる振動を利用して印象材中の気泡を除去（脱泡）する例について説明したが、この偏心回転に代って、回転運動を往復運動に変換させることによっても、脱泡ハンドピースを構成することができる。
【００１２】
図３は、その一例を説明するための図で、図３において、ハンドピース４０内には、モータ等の回転駆動体と、該回転駆動体の回転を往復運動に変える周知の回転／往復動変換機構が内蔵されており、この回転／往復動変換機構によって変換された軸部材に、何らかの荷重部材（往復動押打部材）５０を装着させ、この荷重部材５０で、印象材の練りあげ物が入っているカップを押打すれば、該印象材中に混入している気泡を放出（脱泡）させることができる。
【００１３】
図４は、図３に示した歯科用脱泡ハンドピース４０の内部構造の一例を示す要部拡大図、換言すれば、ハンドピース４０内のモータの回転運動を往復運動に変換する回転／往復動変換機構の一例を示す図で、図中、４１はハンドピース４０内に設けられた図示しないモータによって回転される第１の回転軸、４２は該第１の回転軸４１の先端に取り付けられた第１の傘歯車、４３は該傘歯車４２と噛合する第２の傘歯車、４４は該第２の傘歯車の回転軸で、該第２の回転軸４４は第１の回転軸４１と直交して回転するクランク軸で、偏心回転するクランク部４４ａに連結部材４５が連結されている。この連結部材４５は連結軸４６を介して作業杆４７に連結され、該作業杆４７の先端部に、前述の押打部材５０がチャック機構等によって着脱自在に連結されるようになっている。
【００１４】
図４において、第１の回転軸４１が回転されると、第２の回転軸４４のクランク部４４ａが偏心回転し、該クランク部４４ａは矢印Ａ方向及び紙面に対して垂直の方向に円回転運動する。ここで、紙面の垂直の方向の運動を連結部材４５に対する連結軸４６の枢動回転で吸収し、矢印Ａ方向の運動のみを連結軸４６に伝達する。連結軸４６は、スリット４８により紙面に垂直の方向の移動は阻止されているが、矢印Ａ方向の移動は許容されており、これにより、作業杆４７を矢印Ａ方向に往復動させることができる。なお、図４に示した例は、回転運動を往復運動に変換する回転／往復動変換機構の一例を示したに過ぎず、その他、周知の任意の回転／変換機構を用いることができる。
【００１５】
【発明の効果】
以上の説明から明らかなように、本発明によると、小型、軽量のハンドピースによって、印象材中の気泡を放出（脱泡）することができるので、往診時、大きく、かつ、重いバイブレータ等を持ち運ばなくても済み、往診治療にかかわる医療従事者の疲労を軽減することができ、しかも、往診先にて、電源の容量等の心配をすることなく、容易に使用することができる。
【図面の簡単な説明】
【図１】本発明による歯科用脱泡ハンドピースの一実施例を説明するための要部分解図である。
【図２】本発明による歯科用脱泡ハンドピースの使用例を説明するための図である。
【図３】往復運動を利用した脱泡ハンドピースの例を説明するための図である。
【図４】図３に示した歯科用脱泡ハンドピースに使用する回転／往復動変換機構の一例を説明するための要部概略図である。
【符号の説明】
１…ハンドピース部、２…被駆動回転軸体、２ａ…偏心荷重、３…カバー部材、１０…歯科用脱泡ハンドピース、２０…印象材、３０…ラバーカップ、４０…歯科用脱泡ハンドピース、４１…回転軸、４２，４３…傘歯車、４４…クランク回転軸、４５…連結部材、４６…連結軸、４７…作業杆、４８…スリット、５０…荷重部材（往復動押打部材）。
【図１】
0003630645.tif 000002
【図２】
0003630645.tif 000003
【図３】
0003630645.tif 000004
【図４】
0003630645.tif 000005